(57)【特許請求の範囲】
【請求項１】
ユーザを識別するセンサを有する冷蔵庫に格納されている１以上の物品に関する情報をユーザに提供する情報提供方法であって、
前記センサにより識別したユーザの識別結果を含む信号を前記冷蔵庫からネットワークを介して受信する受信ステップと、
メモリに記憶された複数のユーザのスケジュール情報のうち、前記ユーザの識別結果に基づいて前記ユーザに対応するスケジュール情報を参照して、スケジュールされた未来のイベントを抽出する抽出ステップと、
前記ユーザが摂取することにより、前記イベントに参加した際の前記ユーザの状態に影響を及ぼしうる物品を、前記イベントに対応する物品として決定する決定ステップと、
決定された前記物品に基づいて、前記メモリに記憶された前記冷蔵庫に格納されている１以上の物品に関する情報の中から前記ユーザに提供する１以上の物品の情報を生成する生成ステップと、
生成された前記情報を前記ユーザが利用する機器に出力させる信号を前記機器へ前記ネットワークを介して送信する送信ステップと、を含む
情報提供方法。
【請求項２】
前記決定ステップでは、
前記イベントに悪影響を与える物品として予め定められた物品を、前記イベントに対応する物品として決定する、
請求項１に記載の情報提供方法。
【請求項３】
前記イベントは、前記ユーザが人と会うためのイベントであり、
前記イベントに悪影響を与える物品は、当該物品の食後に臭いが残る物品である、
請求項２に記載の情報提供方法。
【請求項４】
前記情報提供方法は、さらに、
現在日時と前記イベントの開始日時との差分時間を算出する算出ステップを含み、
前記決定ステップでは、
食後に臭いが残る時間として予め定められた持続時間であって前記差分時間よりも大きい持続時間を有する物品を、前記イベントに対応する物品として決定する、
請求項３に記載の情報提供方法。
【請求項５】
前記生成ステップでは、
前記メモリに記憶された前記冷蔵庫に格納されている１以上の物品の情報のうち、決定された前記物品と異なる物品に関する情報を、前記ユーザに提供する１以上の物品に関する情報として生成する、
請求項２〜４のいずれか１項に記載の情報提供方法。
【請求項６】
前記生成ステップでは、
前記メモリに記憶された前記冷蔵庫に格納されている１以上の物品の情報のうち、決定された前記物品と同じ物品に関する情報を、前記ユーザに提供する１以上の物品に関する情報として生成する、
請求項２〜４のいずれか１項に記載の情報提供方法。
【請求項７】
前記情報提供方法は、さらに、
前記ユーザの識別結果に基づいて前記ユーザが他人の食事を用意する人か否かを判定する判定ステップを含み、
前記抽出ステップでは、
前記ユーザが他人の食事を用意する人であると判定された場合、前記ユーザのスケジュール情報および前記他人のスケジュール情報を参照して、前記イベントを抽出する、
請求項１〜６のいずれか１項に記載の情報提供方法。
【請求項８】
前記抽出ステップでは、現在日時から予め定められた期間内にスケジュールされているイベントを、前記スケジュールされた未来のイベントとして抽出する、
請求項１〜７のいずれか１項に記載の情報提供方法。
【請求項９】
前記ユーザが利用する機器は、前記冷蔵庫であり、
前記送信ステップは、
生成された前記情報を前記冷蔵庫が備えるディスプレイに表示させる信号を前記冷蔵庫へ前記ネットワークを介して送信する
請求項１に記載の情報提供方法。
【請求項１０】
前記ユーザが利用する機器は、前記冷蔵庫であり、
前記送信ステップは、
生成された前記情報を前記冷蔵庫が備える音声出力部に出力させる信号を前記冷蔵庫へ前記ネットワークを介して送信する
請求項１に記載の情報提供方法。
【請求項１１】
前記ユーザが利用する機器は、携帯端末であり、
前記送信ステップは、
生成された前記情報を前記携帯端末が備えるディスプレイに表示させる信号を前記携帯端末へ前記ネットワークを介して送信する
請求項１に記載の情報提供方法。
【請求項１２】
前記ユーザが利用する機器は、携帯端末であり、
前記送信ステップは、
生成された前記情報を前記携帯端末が備える音声出力部に出力させる信号を前記携帯端末へ前記ネットワークを介して送信する
請求項１に記載の情報提供方法。
【請求項１３】
前記ユーザの識別結果を含む信号の受信、前記未来のイベントの抽出、前記物品の決定、前記１以上の物品に関する情報の生成および生成された前記情報を前記ユーザが利用する機器に出力させる信号の送信のうちの少なくとも１つはプロセッサにより行われる
請求項１に記載の情報提供方法。
【請求項１４】
ユーザを識別するセンサを有する冷蔵庫に格納されている１以上の物品に関する情報をユーザに提供するプログラムを記録したコンピュータ読み取り可能な非一時的記録媒体であって、
前記プログラムは、コンピュータに
前記センサにより識別したユーザの識別結果を含む信号を前記冷蔵庫からネットワークを介して受信する受信ステップと、
メモリに記憶された複数のユーザのスケジュール情報のうち、前記ユーザの識別結果に基づいて前記ユーザに対応するスケジュール情報を参照して、スケジュールされた未来のイベントを抽出する抽出ステップと、
前記ユーザが摂取することにより、前記イベントに参加した際の前記ユーザの状態に影響を及ぼしうる物品を、前記イベントに対応する物品として決定する決定ステップと、
決定された前記物品に基づいて、前記メモリに記憶された前記冷蔵庫に格納されている１以上の物品に関する情報の中から前記ユーザに提供する１以上の物品の情報を生成する生成ステップと、
生成された前記情報を前記ユーザが利用する機器に出力させる信号を前記機器へ前記ネットワークを介して送信する送信ステップと、
を実行させる
コンピュータ読み取り可能な非一時的記録媒体。
【請求項１５】
ユーザを識別するセンサを有する冷蔵庫に格納されている１以上の物品に関する情報をユーザに提供するサーバであって、
前記センサにより識別したユーザの識別結果を含む信号を前記冷蔵庫からネットワークを介して受信する受信部と、
複数のユーザのスケジュール情報および前記冷蔵庫に格納されている１以上の物品に関する情報を記憶するメモリと、
前記メモリに記憶された複数のユーザのスケジュール情報のうち、前記ユーザの識別結果に基づいて前記ユーザに対応するスケジュール情報を参照して、スケジュールされた未来のイベントを抽出するイベント抽出部と、
前記ユーザが摂取することにより、前記イベントに参加した際の前記ユーザの状態に影響を及ぼしうる物品を、前記イベントに対応する物品として決定する物品決定部と、
決定された前記物品に基づいて、前記メモリに記憶された前記冷蔵庫に格納されている１以上の物品に関する情報の中から前記ユーザに提供する１以上の物品の情報を生成する情報生成部と、
生成された前記情報を前記ユーザが利用する機器に出力させる信号を前記機器へ前記ネットワークを介して送信する送信部と、を備える
サーバ。
【請求項１６】
前記受信部、前記イベント抽出部、前記物品決定部、前記情報生成部、および前記送信部のうちの少なくとも１つは、プロセッサを含む
請求項１５に記載のサーバ。
【請求項１７】
情報提供システムであって、
冷蔵庫と、前記冷蔵庫とネットワークを介して接続するサーバとを備え、
前記冷蔵庫は、
ユーザを識別するセンサと、
前記センサにより識別したユーザの識別結果を含む信号を前記ネットワークを介して前記サーバへ送信する送信部を備え、
前記サーバは、
前記センサにより識別したユーザの識別結果を含む信号を前記冷蔵庫からネットワークを介して受信する受信部と、
複数のユーザのスケジュール情報および前記冷蔵庫に格納されている１以上の物品に関する情報を記憶するメモリと、
前記メモリに記憶された複数のユーザのスケジュール情報のうち、前記ユーザの識別結果に基づいて前記ユーザに対応するスケジュール情報を参照して、スケジュールされた未来のイベントを抽出するイベント抽出部と、
前記ユーザが摂取することにより、前記イベントに参加した際の前記ユーザの状態に影響を及ぼしうる物品を、前記イベントに対応する物品として決定する物品決定部と、
決定された前記物品に基づいて、前記メモリに記憶された前記冷蔵庫に格納されている１以上の物品に関する情報の中から前記ユーザに提供する１以上の物品の情報を生成する情報生成部と、
生成された前記情報を前記ユーザが利用する機器に出力させる信号を前記機器へ前記ネットワークを介して送信する送信部と、を備える
情報提供システム。 
【発明の詳細な説明】
【技術分野】
【０００１】
本開示は、冷蔵庫に格納されている１以上の物品に関する情報のユーザへの提供に関する。
【背景技術】
【０００２】
冷蔵庫前面にディスプレイを搭載した冷蔵庫が存在する。ディスプレイには、例えば、冷蔵庫に格納された食材の在庫情報などが表示される。
【０００３】
このような冷蔵庫において、ユーザの好み、体質および健康状態に応じて在庫情報の表示を変更することにより、ユーザに適切な情報を提供する技術が提案されている（例えば、特許文献１を参照）。
【先行技術文献】
【特許文献】
【０００４】
【特許文献１】特開２００４−８５１７３号公報
【発明の概要】
【発明が解決しようとする課題】
【０００５】
しかし、上記従来の技術では、更なる改善が求められている。
【０００６】
そこで、本開示は、冷蔵庫に格納されている１以上の食材に関する情報をユーザに提供する際に、よりユーザに適した情報を提供することができる情報提供方法などを提供する。
【課題を解決するための手段】
【０００７】
本開示の一態様に係る情報提供方法は、ユーザを識別するセンサを有する冷蔵庫に格納されている１以上の物品に関する情報をユーザに提供する情報提供方法であって、前記センサにより識別したユーザの識別結果を含む信号を前記冷蔵庫からネットワークを介して受信する受信ステップと、メモリに記憶された複数のユーザのスケジュール情報のうち、前記ユーザの識別結果に基づいて前記ユーザに対応するスケジュール情報を参照して、スケジュールされた未来のイベントを抽出する抽出ステップと、前記ユーザが摂取することにより、前記イベントに参加した際の前記ユーザの状態に影響を及ぼしうる物品を、前記イベントに対応する物品として決定する決定ステップと、決定された前記物品に基づいて、前記メモリに記憶された前記冷蔵庫に格納されている１以上の物品に関する情報の中から前記ユーザに提供する１以上の物品の情報を生成する生成ステップと、生成された前記情報を前記ユーザが利用する機器に出力させる信号を前記機器へ前記ネットワークを介して送信する送信ステップと、を含む。
【０００８】
なお、これらの包括的または具体的な態様は、システム、装置、集積回路、コンピュータプログラムまたはコンピュータ読み取り可能なＣＤ−ＲＯＭなどの記録媒体で実現されてもよく、システム、装置、集積回路、コンピュータプログラムおよび記録媒体の任意な組み合わせで実現されてもよい。
【発明の効果】
【０００９】
本開示の一態様に係る情報提供方法などは、冷蔵庫に格納されている１以上の食材に関する情報をユーザに提供する際に、よりユーザに適した情報を提供することができる。
【図面の簡単な説明】
【００１０】
【図１】図１は、実施の形態１に係る情報提供システムの使用事例を示す図
【図２】図２は、実施の形態１に係る情報提供システムの機能構成を示すブロック図
【図３】図３は、実施の形態１における在庫情報の一例を示す図
【図４】図４は、実施の形態１におけるユーザ情報の一例を示す図
【図５】図５は、実施の形態１における物品情報の一例を示す図
【図６】図６は、実施の形態１におけるスケジュール情報の一例を示す図
【図７】図７は、実施の形態１に係る情報提供システムにおける情報の流れを示すシーケンス図
【図８】図８は、実施の形態１におけるイベント抽出処理の詳細を示すフローチャート
【図９】図９は、実施の形態１における物品決定処理の詳細を示すフローチャート
【図１０】図１０は、実施の形態１における情報提供の一例を示す図
【図１１】図１１は、実施の形態１における警告情報の一例を示す図
【図１２Ａ】図１２Ａは、実施の形態２におけるサービス提供システムの全体像を示す図
【図１２Ｂ】図１２Ｂは、実施の形態２におけるデータセンタ運営会社の他の一例を示す図
【図１２Ｃ】図１２Ｃは、実施の形態２におけるデータセンタ運営会社の他の一例を示す図
【図１３】図１３は、実施の形態２におけるサービスの類型１（自社データセンタ型）を示す図
【図１４】図１４は、実施の形態２におけるサービスの類型２（ＩａａＳ利用型）を示す図
【図１５】図１５は、実施の形態２におけるサービスの類型３（ＰａａＳ利用型）を示す図
【図１６】図１６は、実施の形態２におけるサービスの類型４（ＳａａＳ利用型）を示す図
【発明を実施するための形態】
【００１１】
（本発明の基礎となった知見）
上記従来の技術では、ユーザの好み、体質および健康状態に応じて在庫情報の表示が変更される。しかしながら、ユーザの好み、体質および健康状態に変化がなくても、ユーザの行動予定によってユーザに適した情報も変化する場合がある。
【００１２】
そこで、本開示の一態様に係る情報提供方法は、ユーザを識別するセンサを有する冷蔵庫に格納されている１以上の物品に関する情報をユーザに提供する情報提供方法であって、前記センサにより識別したユーザの識別結果を含む信号を前記冷蔵庫からネットワークを介して受信する受信ステップと、メモリに記憶された複数のユーザのスケジュール情報のうち、前記ユーザの識別結果に基づいて前記ユーザに対応するスケジュール情報を参照して、スケジュールされた未来のイベントを抽出する抽出ステップと、前記イベントに対応する物品を決定する決定ステップと、決定された前記物品に基づいて、前記メモリに記憶された前記冷蔵庫に格納されている１以上の物品に関する情報の中から前記ユーザに提供する１以上の物品の情報を生成する生成ステップと、生成された前記情報を前記ユーザが利用する機器に出力させる信号を前記機器へ前記ネットワークを介して送信する送信ステップと、を含む。
【００１３】
これによれば、ユーザに対応するスケジュール情報を参照して抽出されたイベントに対応する物品に基づいて、冷蔵庫に格納されている１以上の物品に関する情報をユーザが利用する機器からの出力により、ユーザに提供することができる。したがって、ユーザの行動予定に適した物品に関する情報をユーザに提供することができる。
【００１４】
また例えば、前記決定ステップでは、前記イベントに悪影響を与える物品として予め定められた物品を、前記イベントに対応する物品として決定してもよい。
【００１５】
これによれば、イベントに悪影響を与える物品に基づいて、冷蔵庫に格納されている１以上の物品に関する情報をユーザに提供することができる。したがって、イベントに悪影響を与える物品をユーザが冷蔵庫から取り出すことを抑制することができる。
【００１６】
また例えば、前記イベントは、前記ユーザが人と会うためのイベントであり、前記イベントに悪影響を与える物品は、当該物品の食後に臭いが残る物品であってもよい。
【００１７】
これによれば、ユーザが人と会うためのイベントがスケジュールされている場合に、食後に臭いが残る物品を決定することができる。したがって、食後に臭いが残る物品に基づいて情報をユーザに提供することができる。その結果、ユーザが人と会うためのイベントの前に、食後に臭いが残る物品を摂取することを抑制することが可能となる。
【００１８】
また例えば、前記情報提供方法は、さらに、現在日時と前記イベントの開始日時との差分時間を算出する算出ステップを含み、前記決定ステップでは、食後に臭いが残る時間として予め定められた持続時間であって前記差分時間よりも大きい持続時間を有する物品を、前記イベントに対応する物品として決定してもよい。
【００１９】
これによれば、食後に臭いが残る持続時間と、イベントの開始日時までの差分時間とを考慮して、イベントに対応する物品を決定することができる。したがって、イベントの開始日時まで臭いが残る物品をイベントに対応する物品として決定し、イベントの開始日時までに臭いが消える物品をイベントに対応する物品として決定しないことができる。その結果、イベントに悪影響を与える物品を適切に決定することができる。
【００２０】
また例えば、前記生成ステップでは、前記メモリに記憶された前記冷蔵庫に格納されている１以上の物品の情報のうち、決定された前記物品と異なる物品に関する情報を、前記ユーザに提供する１以上の物品に関する情報として生成してもよい。
【００２１】
これによれば、イベントに悪影響を与える物品と異なる物品に関する情報をユーザに提供することができる。したがって、ユーザが提供された情報に基づいて冷蔵庫から物品を取り出せば、イベントに悪影響を与える物品を取り出すことを抑制することができる。
【００２２】
また、例えば、前記生成ステップでは、前記メモリに記憶された前記冷蔵庫に格納されている１以上の物品の情報のうち、決定された前記物品と同じ物品に関する情報を、前記ユーザに提供する１以上の物品に関する情報として生成してもよい。
【００２３】
これによれば、イベントに悪影響を与える物品と同じ物品に関する情報をユーザに提供することができる。よって、ユーザはイベントに悪影響を与える物品を認識できる。したがって、ユーザは提供された情報に基づいて冷蔵庫から物品を取り出す際に、イベントに悪影響を与える物品を取り出すことを抑制することができる。
【００２４】
また例えば、前記情報提供方法は、さらに、前記ユーザの識別結果に基づいて前記ユーザが他人の食事を用意する人か否かを判定する判定ステップを含み、前記抽出ステップでは、前記ユーザが他人の食事を用意する人であると判定された場合、前記ユーザのスケジュール情報および前記他人のスケジュール情報を参照して、前記イベントを抽出してもよい。
【００２５】
これによれば、ユーザが他人の食事を用意する人である場合に、当該ユーザのスケジュール情報に加えて他人のスケジュール情報も参照してイベントを抽出することができる。したがって、ユーザが用意した食事を摂取した他人がイベントに悪影響を与える物品を摂取することを抑制することができる。
【００２６】
また例えば、前記抽出ステップでは、現在日時から予め定められた期間内にスケジュールされているイベントを、前記スケジュールされた未来のイベントとして抽出してもよい。
【００２７】
これによれば、現在日時から予め定められた期間内にスケジュールされているイベントを抽出することができる。したがって、物品の摂取による影響が大きいイベントを抽出することができ、ユーザの行動予定に適した物品に関する情報をより適切にユーザに提供することができる。
【００２８】
また、例えば、前記ユーザが利用する機器は、前記冷蔵庫であり、前記送信ステップは、生成された前記情報を前記冷蔵庫が備えるディスプレイに表示させる信号を前記冷蔵庫へ前記ネットワークを介して送信してもよい。
【００２９】
これによれば、ユーザに対応するスケジュール情報を参照して抽出されたイベントに対応する物品に基づいて、冷蔵庫に格納されている１以上の物品に関する情報を冷蔵庫が備えるディスプレイへの表示により、ユーザに提供することができる。したがって、ユーザの行動予定に適した物品に関する情報をユーザに提供することができる。
【００３０】
また、例えば、前記ユーザが利用する機器は、前記冷蔵庫であり、前記送信ステップは、生成された前記情報を前記冷蔵庫が備える音声出力部に出力させる信号を前記冷蔵庫へ前記ネットワークを介して送信してもよい。
【００３１】
これによれば、ユーザに対応するスケジュール情報を参照して抽出されたイベントに対応する物品に基づいて、冷蔵庫に格納されている１以上の物品に関する情報を冷蔵庫が備える音声出力部からの音声出力により、ユーザに提供することができる。したがって、ユーザの行動予定に適した物品に関する情報をユーザに提供することができる。
【００３２】
また、例えば、前記ユーザが利用する機器は、携帯端末であり、前記送信ステップは、生成された前記情報を前記携帯端末が備えるディスプレイに表示させる信号を前記携帯端末へ前記ネットワークを介して送信してもよい。
【００３３】
これによれば、ユーザに対応するスケジュール情報を参照して抽出されたイベントに対応する物品に基づいて、冷蔵庫に格納されている１以上の物品に関する情報を携帯端末が備えるディスプレイへの表示により、ユーザに提供することができる。したがって、ユーザの行動予定に適した物品に関する情報をユーザに提供することができる。
【００３４】
また、例えば、前記ユーザが利用する機器は、携帯端末であり、前記送信ステップは、生成された前記情報を前記携帯端末が備える音声出力部に出力させる信号を前記携帯端末へ前記ネットワークを介して送信してもよい。
【００３５】
これによれば、ユーザに対応するスケジュール情報を参照して抽出されたイベントに対応する物品に基づいて、冷蔵庫に格納されている１以上の物品に関する情報を携帯端末が備える音声出力部からの音声出力により、ユーザに提供することができる。したがって、ユーザの行動予定に適した物品に関する情報をユーザに提供することができる。
【００３６】
また、例えば、前記ユーザの識別結果を含む信号の受信、前記未来のイベントの抽出、前記物品の決定、前記１以上の物品に関する情報の生成および生成された前記情報を前記ユーザが利用する機器に出力させる信号の送信のうちの少なくとも１つはプロセッサにより行われてもよい。
【００３７】
本開示の一態様に係る記録媒体は、ユーザを識別するセンサを有する冷蔵庫に格納されている１以上の物品に関する情報をユーザに提供するプログラムを記録したコンピュータ読み取り可能な非一時的記録媒体であって、前記プログラムは、コンピュータに前記センサにより識別したユーザの識別結果を含む信号を前記冷蔵庫からネットワークを介して受信する受信ステップと、メモリに記憶された複数のユーザのスケジュール情報のうち、前記ユーザの識別結果に基づいて前記ユーザに対応するスケジュール情報を参照して、スケジュールされた未来のイベントを抽出する抽出ステップと、前記イベントに対応する物品を決定する決定ステップと、決定された前記物品に基づいて、前記メモリに記憶された前記冷蔵庫に格納されている１以上の物品に関する情報の中から前記ユーザに提供する１以上の物品の情報を生成する生成ステップと、生成された前記情報を前記ユーザが利用する機器に出力させる信号を前記機器へ前記ネットワークを介して送信する送信ステップと、を実行させる。
【００３８】
これによれば、ユーザに対応するスケジュール情報を参照して抽出されたイベントに対応する物品に基づいて、冷蔵庫に格納されている１以上の物品に関する情報をユーザが利用する機器からの出力により、ユーザに提供することができる。したがって、ユーザの行動予定に適した物品に関する情報をユーザに提供することができる。
【００３９】
本開示の一態様に係るサーバは、ユーザを識別するセンサを有する冷蔵庫に格納されている１以上の物品に関する情報をユーザに提供するサーバであって、前記センサにより識別したユーザの識別結果を含む信号を前記冷蔵庫からネットワークを介して受信する受信部と、複数のユーザのスケジュール情報および前記冷蔵庫に格納されている１以上の物品に関する情報を記憶するメモリと、前記メモリに記憶された複数のユーザのスケジュール情報のうち、前記ユーザの識別結果に基づいて前記ユーザに対応するスケジュール情報を参照して、スケジュールされた未来のイベントを抽出するイベント抽出部と、前記イベントに対応する物品を決定する物品決定部と、決定された前記物品に基づいて、前記メモリに記憶された前記冷蔵庫に格納されている１以上の物品に関する情報の中から前記ユーザに提供する１以上の物品の情報を生成する情報生成部と、生成された前記情報を前記ユーザが利用する機器に出力させる信号を前記機器へ前記ネットワークを介して送信する送信部と、を備える。
【００４０】
これによれば、ユーザに対応するスケジュール情報を参照して抽出されたイベントに対応する物品に基づいて、冷蔵庫に格納されている１以上の物品に関する情報をユーザが利用する機器からの出力により、ユーザに提供することができる。したがって、ユーザの行動予定に適した物品に関する情報をユーザに提供することができる。
【００４１】
また、例えば、前記受信部、前記イベント抽出部、前記物品決定部、前記情報生成部、および前記送信部のうちの少なくとも１つは、プロセッサを含んでもよい。
【００４２】
本開示の一態様に係る情報提供システムは、冷蔵庫と、前記冷蔵庫とネットワークを介して接続するサーバとを備え、前記冷蔵庫は、ユーザを識別するセンサと、前記センサにより識別したユーザの識別結果を含む信号を前記ネットワークを介して前記サーバへ送信する送信部を備え、前記サーバは、前記センサにより識別したユーザの識別結果を含む信号を前記冷蔵庫からネットワークを介して受信する受信部と、複数のユーザのスケジュール情報および前記冷蔵庫に格納されている１以上の物品に関する情報を記憶するメモリと、前記メモリに記憶された複数のユーザのスケジュール情報のうち、前記ユーザの識別結果に基づいて前記ユーザに対応するスケジュール情報を参照して、スケジュールされた未来のイベントを抽出するイベント抽出部と、前記イベントに対応する物品を決定する物品決定部と、決定された前記物品に基づいて、前記メモリに記憶された前記冷蔵庫に格納されている１以上の物品に関する情報の中から前記ユーザに提供する１以上の物品の情報を生成する情報生成部と、生成された前記情報を前記ユーザが利用する機器に出力させる信号を前記機器へ前記ネットワークを介して送信する送信部と、を備える。
【００４３】
これによれば、ユーザに対応するスケジュール情報を参照して抽出されたイベントに対応する物品に基づいて、冷蔵庫に格納されている１以上の物品に関する情報をユーザが利用する機器からの出力により、ユーザに提供することができる。したがって、ユーザの行動予定に適した物品に関する情報をユーザに提供することができる。
【００４４】
なお、これらの包括的または具体的な態様は、システム、装置、集積回路、コンピュータプログラムまたはコンピュータ読み取り可能なＣＤ−ＲＯＭなどの記録媒体で実現されてもよく、システム、装置、集積回路、コンピュータプログラムおよび記録媒体の任意な組み合わせで実現されてもよい。
【００４５】
以下、実施の形態について、図面を参照しながら具体的に説明する。
【００４６】
なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、請求の範囲を限定する主旨ではない。また、以下の実施の形態における構成要素のうち、最上位概念を示す独立請求項に記載されていない構成要素については、任意の構成要素として説明される。
【００４７】
（実施の形態１）
［情報提供システムの使用事例］
図１は、実施の形態１に係る情報提供システム１０の使用事例を示す図である。情報提供システム１０は、冷蔵庫１００と、サーバ２００とを備える。例えば、冷蔵庫１００と、サーバ２００とは、ネットワークを介して接続する。ネットワークは有線のネットワークでもよいし、無線のネットワークでもよい。
【００４８】
冷蔵庫１００は、ユーザ９９の体内に摂取される物品を格納する。ここでは、物品は、例えば食品（食材および調理済食品を含む）、調味料、飲料および薬品などである。
【００４９】
冷蔵庫１００は、センサ１０１およびディスプレイ１０２を備える。センサ１０１は、ユーザ９９の識別に用いられる。本実施の形態では、センサ１０１は、例えば、冷蔵庫１００の近傍に存在するユーザ９９を撮影するカメラである。ディスプレイ１０２は、冷蔵庫１００に格納されている１以上の物品に関する情報の提供に用いられる。本実施の形態では、ディスプレイ１０２は、タッチスクリーンである。
【００５０】
サーバ２００は、例えばクラウドサーバである。サーバ２００は、冷蔵庫１００からユーザ９９の識別結果を受信する。そして、サーバ２００は、識別結果に基づいて、冷蔵庫１００に格納されている１以上の物品に関する情報を冷蔵庫１００に送信する。
【００５１】
冷蔵庫１００に格納されている１以上の物品に関する情報は、例えば、単に１以上の物品を示す情報であってもよい。また例えば、１以上の物品が複数の物品である場合、１以上の物品に関する情報は、複数の物品のうちの少なくとも１つを示す情報であってもよい。また例えば、１以上の物品に関する情報は、当該１以上の物品の在庫量を示す情報であってもよい。また例えば、１以上の物品に関する情報は、当該１以上の物品を用いる料理のレシピを示す情報であってもよい。
【００５２】
本実施の形態では、１以上の物品に関する情報が、複数の物品のうちの少なくとも１つの物品およびその在庫量を示す情報である場合を例に説明する。ユーザ９９は、冷蔵庫１００の扉を開ける前に、ディスプレイ１０２に表示された物品およびその在庫量を示す情報を確認することにより、所望の物品を迅速に冷蔵庫１００から取り出すことができる。
【００５３】
［情報提供システムの機能構成］
次に、情報提供システム１０の機能構成について図２を用いて説明する。図２は、実施の形態１に係る情報提供システム１０の機能構成を示すブロック図である。
【００５４】
［冷蔵庫の機能構成］
冷蔵庫１００は、識別部１１０と、表示部１２０と、通信部１３０とを備える。
【００５５】
識別部１１０は、例えばセンサ１０１、プロセッサおよびメモリなどによって実現される。識別部１１０は、ユーザを識別する。具体的には、識別部１１０は、センサ１０１によって撮影されたユーザ９９の画像において顔領域を検出する。そして、識別部１１０は、検出された顔領域から特徴量を抽出する。さらに、識別部１１０は、抽出された特徴量を、複数のユーザの識別子に対応付けて予め保持された複数の特徴量とマッチングすることにより、ユーザ９９の識別子を特定する。
【００５６】
表示部１２０は、情報提供部の一例であり、例えばディスプレイ１０２およびデジタルシグナルプロセッサなどによって実現される。表示部１２０は、サーバ２００から受信された表示用情報をディスプレイ１０２に表示することにより、冷蔵庫１００に格納された１以上の物品に関する情報をユーザ９９に提供する。
【００５７】
通信部１３０は、例えば、ネットワークアダプタなどによって実現される。通信部１３０は、サーバ２００と通信を行う。通信部１３０は、例えば、受信部（図示せず）と送信部（図示せず）とを含む。具体的には、通信部１３０の送信部は、識別部１１０によるユーザ９９の識別結果（例えば識別子）を含む信号をサーバ２００に送信する。さらに、通信部１３０の受信部は、サーバ２００から表示用情報をディスプレイ１０２に表示させるための信号を受信する。
【００５８】
［サーバの機能構成］
サーバ２００は、記憶部２１０と、イベント抽出部２２０と、物品決定部２３０と、情報生成部２４０と、通信部２５０とを備える。
【００５９】
記憶部２１０は、例えばメモリによって実現される。メモリとは、例えばハードディスクあるいは半導体メモリなどを含む。記憶部２１０は、在庫情報２１１と、ユーザ情報２１２と、物品情報２１３とを記憶している。
【００６０】
在庫情報２１１は、冷蔵庫１００に格納されている物品およびその数量（つまり在庫量）を示す情報である。在庫情報２１１の一例については、図３を用いて後述する。
【００６１】
ユーザ情報２１２は、冷蔵庫１００に対応する複数のユーザに関する情報である。本実施の形態では、ユーザ情報２１２は、複数のユーザの各々が他人の食事を用意する人か否かを示す情報を含む。ユーザ情報２１２の一例については、図４を用いて後述する。
【００６２】
物品情報２１３は、物品に関する情報である。本実施の形態では、物品情報２１３は、食後に臭いが残る物品を示す情報を含む。物品情報２１３の一例については、図５を用いて後述する。
【００６３】
イベント抽出部２２０は、例えばプロセッサおよびメモリなどによって実現される。イベント抽出部２２０は、ユーザ９９の識別結果に基づいてユーザ９９に対応するスケジュール情報３００を参照して、スケジュールされた未来のイベントを抽出する。未来のイベントとは、現在日時よりも後のイベントである。
【００６４】
なお、本説明では、行事（イベント）、約束（アポイントメント）および仕事（タスク）などを区別せず、すべてイベントと呼ぶ。
【００６５】
例えば、イベント抽出部２２０は、現在日時から予め定められた期間内にスケジュールされているイベントを、スケジュールされた未来のイベントとして抽出する。予め定められた期間は、例えば経験的または実験的に定められればよい。なお、予め定められた期間は、現在時刻に応じて変化してもよい。予め定められた期間は、例えば現在時刻が午前である場合に半日であり、現在時刻が午後である場合に１日であってもよい。
【００６６】
抽出されるイベントの内容は、特に限定される必要はない。例えば、イベントは、ユーザ９９が人と会うためのイベントであってもよい。また例えば、イベントは、試験（例えば、学力試験、採用試験など）であってもよい。
【００６７】
スケジュール情報３００とは、スケジュールされたイベントの日時および内容を示す情報である。例えば、スケジュール情報３００は、パーソナルカレンダアプリケーションなどによって管理されるカレンダデータである。スケジュール情報３００は、例えば、ｉＣａｌｅｎｄａｒあるいはｖＣａｌｅｎｄａｒなどのファイルフォーマットが適用される。スケジュール情報３００の一例については、図６を用いて後述する。
【００６８】
物品決定部２３０は、例えばプロセッサおよびメモリなどによって実現される。物品決定部２３０は、イベント抽出部２２０によって抽出されたイベントに対応する物品を決定する。具体的には、物品決定部２３０は、例えば、物品情報２１３を参照して、イベントに悪影響を与える物品として予め定められた物品を決定する。イベントに悪影響を与える物品は、例えば、当該物品の食後に臭いが残る物品である。
【００６９】
情報生成部２４０は、例えばプロセッサおよびメモリなどによって実現される。情報生成部２４０は、物品決定部２３０によって決定された物品に基づいて、冷蔵庫１００に格納された１以上の物品に関する表示用情報を生成する。具体的には、情報生成部２４０は、例えば、冷蔵庫１００に格納されている１以上の物品のうち、物品決定部２３０によって決定された物品と異なる物品に関する情報を表示用情報として生成する。つまり、表示用情報は、物品決定部２３０によって決定された物品に関する情報を含まない。
【００７０】
通信部２５０は、例えば、ネットワークアダプタなどによって実現される。通信部２５０は、冷蔵庫１００と通信を行う。通信部２５０は、例えば、受信部（図示せず）と送信部（図示せず）とを含む。具体的には、通信部２５０の受信部は、冷蔵庫１００の識別部１１０によるユーザ９９の識別結果を含む信号を冷蔵庫１００から受信する。さらに、通信部２５０の送信部は、情報生成部２４０によって生成された表示用情報を冷蔵庫１００に出力させるための信号を送信する。
【００７１】
さらに、通信部２５０の受信部は、ユーザ９９の識別結果に対応するスケジュール情報３００を受信する。例えば、通信部２５０は、カレンダアプリケーションを提供するウェブサーバ（図示せず）からネットワークを介してスケジュール情報３００を含む信号を受信する。受信した信号に含まれるスケジュール情報３００は、例えば、記憶部２１０に記憶される。または、通信部２５０は、一定期間毎に、冷蔵庫１００を利用する複数のユーザのスケジュール情報３００を含む信号をウェブサーバから受信し、受信した信号に含まれる複数のスケジュール情報３００を記憶部２１０に記憶するように構成してもよい。
【００７２】
［各種情報の具体例］
ここで、本実施の形態で用いられる各種情報の具体例について、図３〜図６を参照しながら説明する。
【００７３】
図３は、実施の形態１における在庫情報２１１の一例を示す図である。在庫情報２１１は、冷蔵庫１００に格納されている物品を示す情報と、当該物品の在庫量を示す情報とを含む。図３の在庫情報２１１によれば、例えば、牛乳の在庫量は１であり、たまごの在庫量は８であることがわかる。
【００７４】
図４は、実施の形態１におけるユーザ情報２１２の一例を示す図である。ユーザ情報２１２は、冷蔵庫１００に対応するユーザを示す情報と、ユーザが他人の食事を用意する人（以下、調理者という）であるか否かを示す情報とを含む。図４のユーザ情報２１２によれば、ユーザＡおよびＣは調理者ではなく、ユーザＢおよびＤは調理者であることがわかる。
【００７５】
図５は、実施の形態１における物品情報２１３の一例を示す図である。物品情報２１３は、イベントに悪影響を与える物品を示す。具体的には、物品情報２１３は、食後に臭いが残る物品を示す情報と、臭いの持続時間を示す情報とを含む。図５の物品情報２１３によれば、例えばキムチは食後に６時間臭いが残ることがわかる。
【００７６】
図６は、実施の形態１におけるスケジュール情報３００の一例を示す図である。スケジュール情報３００は、イベントの開始日時および終了日時を示す情報と、イベントの内容を示す情報とを含む。図６によれば、例えば、２０１５年１月２５日の１１時〜１７時にＸとのデートがスケジュールされていることがわかる。
【００７７】
［情報提供システムの動作］
次に、以上のように構成された情報提供システム１０の動作について説明する。
【００７８】
まず、情報提供システム１０における情報の流れについて図７を用いて説明する。図７は、実施の形態１に係る情報提供システム１０における情報の流れを示すシーケンス図である。
【００７９】
冷蔵庫１００の識別部１１０は、ユーザ９９を識別する（Ｓ１０２）。識別部１１０によるユーザ９９の識別結果（例えば、ユーザ９９の識別子）を含む信号は、通信部１３０により冷蔵庫１００からサーバ２００にネットワークを介して送信される。
【００８０】
通信部２５０は、冷蔵庫１００から受信した識別結果を含む信号を受信する。これにより、サーバ２００は、受信した信号に含まれるユーザの識別結果を得る。
【００８１】
サーバ２００のイベント抽出部２２０は、冷蔵庫１００から受信した識別結果に基づいて、記憶部２１０に記憶された複数のユーザのスケジュール情報のうちユーザ９９に対応するスケジュール情報３００を参照して、スケジュールされた未来のイベントを抽出する（Ｓ１０４）。なお、このイベント抽出処理の詳細は、図８を用いて後述する。
【００８２】
サーバ２００の物品決定部２３０は、抽出されたイベントに対応する物品を決定する（Ｓ１０６）。なお、この物品決定処理の詳細は、図９を用いて後述する。
【００８３】
サーバ２００の情報生成部２４０は、決定された物品に基づいて、ユーザ９９に提供する１以上の物品に関する情報に対応する表示用情報を生成する（Ｓ１０８）。生成された表示用情報を冷蔵庫１００のディスプレイ１０２に表示させる信号は、通信部２５０によりサーバ２００から冷蔵庫１００にネットワークを介して送信される。生成された表示用情報を冷蔵庫１００のディスプレイ１０２に表示させる信号には、例えば、生成された表示用情報と表示用情報をディスプレイ１０２に表示させるための制御情報が含まれる。
【００８４】
冷蔵庫１００の通信部１３０は、冷蔵庫１００のディスプレイ１０２に表示させる信号をサーバ２００から受信する。
【００８５】
冷蔵庫１００の表示部１２０は、サーバ２００から受信した信号に含まれる制御情報に従って表示用情報をディスプレイ１０２に表示する（Ｓ１１０）。これにより、冷蔵庫１００に格納された１以上の物品に関する情報がディスプレイ１０２に表示されることでユーザ９９に提供される。
【００８６】
次に、ステップＳ１０４のイベント抽出処理の詳細について図８を用いて説明する。図８は、実施の形態１におけるイベント抽出処理の詳細を示すフローチャートである。
【００８７】
イベント抽出部２２０は、ユーザ９９の識別結果に基づいて、ユーザ９９が他人の食事を用意する人か否かを判定する（Ｓ２０２）。具体的には、イベント抽出部２２０は、ユーザ９９の識別結果に基づいてユーザ情報２１２を参照して、ユーザ９９が他人の食事を用意する人か否かを判定する。
【００８８】
例えば、ユーザの識別結果が「Ａ」を示す場合、イベント抽出部２２０は、図４に示すユーザ情報２１２を参照して、ユーザ９９が他人の食事を用意する人ではないと判定する。また例えば、ユーザの識別結果が「Ｂ」を示す場合、イベント抽出部２２０は、図４に示すユーザ情報２１２を参照して、ユーザ９９が他人の食事を用意する人であると判定する。
【００８９】
ここで、ユーザ９９が他人の食事を用意する人であると判定された場合（Ｓ２０２のＹｅｓ）、イベント抽出部２２０は、ユーザ９９のスケジュール情報３００および当該他人のスケジュール情報３００を参照して、ユーザ９９および当該他人のスケジュールされた未来のイベントを抽出する（Ｓ２０４）。当該他人とは、例えば、ユーザ９９が用意した食事を食べる人である。例えば、ユーザの識別結果が「Ｂ」を示す場合、他人とは図４に示すユーザＡ、Ｃ、Ｄである。
【００９０】
例えば、ユーザ９９の識別結果がＢである場合、イベント抽出部２２０は、ユーザ情報２１２に含まれるユーザＡ〜Ｄのスケジュール情報３００を通信部２５０を介して取得する。そして、イベント抽出部２２０は、取得されたスケジュール情報３００から、ユーザＡ、Ｂ、ＣまたはＤが人と会うためのイベントを抽出する。より具体的には、イベント抽出部２２０は、例えば、人と会うためのイベントを示すキーワード（例えば、デート、打合せ、会議、商談会、握手会など）を用いてスケジュール情報３００を検索することにより、人と会うためのイベントを抽出する。
【００９１】
一方、ユーザ９９が他人の食事を用意する人ではないと判定された場合（Ｓ２０２のＮｏ）、イベント抽出部２２０は、ユーザ９９のスケジュール情報３００を参照して、スケジュールされた未来のイベントを抽出する（Ｓ２０６）。例えば、ユーザ９９の識別結果が「Ａ」である場合、イベント抽出部２２０は、ユーザＡのスケジュール情報３００を通信部２５０を介して取得する。そして、イベント抽出部２２０は、取得されたスケジュール情報３００から、ユーザＡが人と会うためのイベントであって、現在日時よりも後の日時にスケジュールされているイベントを抽出する。
【００９２】
次に、ステップＳ１０６の物品決定処理の詳細について図９を用いて説明する。図９は、実施の形態１における物品決定処理の詳細を示すフローチャートである。
【００９３】
物品決定部２３０は、現在日時とイベントの開始日時との差分時間を算出する（Ｓ３０２）。例えば、ステップＳ１０４において複数のイベントが抽出された場合、物品決定部２３０は、最も近い未来のイベントの開始日時と現在日時との差分時間を算出する。具体的には、現在日時が２０１５年１月２５日６時であり、かつ、図６に示すスケジュール情報３００に含まれる複数のイベントが抽出された場合、物品決定部２３０は、「Ｘとのデート」の開始日時（２０１５年１月２５日１１時）と、現在日時（２０１５年１月２５日６時）との差分時間（５時間）を算出する。
【００９４】
物品決定部２３０は、複数の物品のうちの未選択の１つの物品を選択する（Ｓ３０４）。例えば、物品決定部２３０は、図５に示す物品情報２１３によって示される複数の物品のうちの１つを選択する。
【００９５】
物品決定部２３０は、選択された物品の食後に臭いが残る時間として予め定められた持続時間を取得する（Ｓ３０６）。例えば、物品決定部２３０は、選択されたキムチの持続時間として６時間を取得する。
【００９６】
物品決定部２３０は、ステップＳ３０４において取得された持続時間が、ステップＳ３０２において算出された差分時間よりも大きいか否かを判定する（Ｓ３０８）。例えば、キムチが選択されている場合、物品決定部２３０は、持続時間（６時間）が差分時間（５時間）よりも大きいと判定する。また例えば、くさやが選択されている場合、物品決定部２３０は、持続時間（３時間）が差分時間（５時間）よりも小さいと判定する。
【００９７】
ここで、持続時間が差分時間よりも大きい場合（Ｓ３０８のＹｅｓ）、物品決定部２３０は、選択された物品をイベントに対応する物品と決定する（Ｓ３１０）。一方、持続時間が差分時間以下である場合（Ｓ３０８のＮｏ）、物品決定部２３０は、選択された物品をイベントに対応する物品と決定しない。
【００９８】
物品決定部２３０は、図５に示す物品情報２１３によって示される複数の物品のすべてが選択されたか否かを判定する（Ｓ３１２）。ここで、すべての物品が選択されている場合（Ｓ３１２のＹｅｓ）、物品決定処理を終了し、いずれかの物品が選択されていない場合（Ｓ３１２のＮｏ）、ステップＳ３０４に戻る。
【００９９】
このように、物品決定部２３０は、食後に臭いが残る時間として予め定められた持続時間であって差分時間よりも大きい持続時間を有する物品を、イベントに対応する物品として決定する。例えば、差分時間が５時間である場合、キムチ、くさや、およびギョーザのうち、６時間の持続時間を有するキムチのみがイベントに対応する物品として決定される。
【０１００】
図１０は、実施の形態１における情報提供の一例を示す図である。図１０では、冷蔵庫１００に格納されている複数の物品および、その在庫量がディスプレイ１０２に表示されている。上述の例では、冷蔵庫１００に格納されているキムチがイベントに対応する物品として決定されているので、キムチはディスプレイ１０２に表示されていない。つまり、冷蔵庫１００に格納されている１以上の物品のうち、決定された物品と異なる物品に関する情報がユーザ９９に提供される。
【０１０１】
冷蔵庫１００に格納されている複数の物品の情報は、在庫情報２１１として記憶部２１０に記憶されている。よって、情報生成部２４０は、在庫情報２１１を参照し、冷蔵庫１００に格納された１以上の物品の情報の中から、物品決定部２３０によって決定された物品と異なる物品を特定することができる。
【０１０２】
図１０に示す例では、冷蔵庫１００に格納されている複数の物品のうち、イベントに対応する物品とは異なる物品およびその在庫量がディスプレイ１０２に表示されているが、これに限定をされるものではない。
【０１０３】
例えば、冷蔵庫１００に格納されている１以上の物品のうち、イベントに対応する物品と同じ物品を物品に関する表示用情報としてディスプレイ１０２に表示してもよい。
【０１０４】
このとき、イベントに対応する物品を摂取すればイベントに影響を及ぼす可能性があることを示す情報（警告情報）を表示用情報に含めてもよい。
【０１０５】
また、摂取すればイベントに影響を及ぼす可能性があることを示す情報（警告情報）とは、例えば、物品を食べない方が良い旨の内容を提供する情報であってもよい。
【０１０６】
冷蔵庫１００に格納されている複数の物品の情報は、在庫情報２１１として記憶部２１０に記憶されている。よって、情報生成部２４０は、在庫情報２１１を参照し、冷蔵庫１００に格納された１以上の物品の情報の中から、物品決定部２３０によって決定された物品と同じ物品を特定することができる。
【０１０７】
この場合、例えば、サーバ２００の情報生成部２４０は、冷蔵庫１００に格納されている複数の物品の情報うち、物品決定部２３０によって決定された物品と同じ物品の情報を含む表示用情報を生成すればよい。
【０１０８】
または、例えば、サーバ２００の情報生成部２４０は、冷蔵庫１００に格納されている複数の物品の情報うち、物品決定部２３０によって決定された物品と同じ物品の情報と、摂取すればイベントに影響を及ぼす可能性があることを示す情報（警告情報）とを含む表示用情報を生成してもよい。
【０１０９】
図１１は、摂取すればイベントに影響を及ぼす可能性があることを示す情報（警告情報）の一例を示す図である。この情報には、例えば、イベントが予定されている時刻、イベントの名称、どのようにイベントに影響を及ぼすかを示す内容が含まれていることが好ましい。ここでは、イベントが予定されている時刻として「１８：００」、イベントの名称として「会議」、どのようにイベントに影響を及ぼすかを示す内容として「臭いが残る」という記載を含んで警告情報が表示されている。  上記各実施の形態では、識別部１１０は、センサ１０１によって撮影されたユーザ９９の画像において顔領域を検出し、検出された顔領域から特徴量を抽出する。さらに、識別部１１０は、抽出された特徴量を、複数のユーザの識別子に対応付けて予め保持された複数の特徴量とマッチングすることにより、ユーザ９９の識別子を特定するものとして説明をした。
【０１１０】
しかしながら、これに限定をされることはない。例えば識別部１１０は、センサ１０１によって撮影されたユーザ９９の画像に含まれる、ユーザの指紋、瞳といった領域を検出し、検出された領域から特徴量を抽出するのでもよい。
【０１１１】
また、センサ１０１は、例えば、ユーザ９９の音声を検出するのでもよい。この場合、センサ１０１はマイクなどを有する。この場合、センサ１０１は、マイクが集音した情報に含まれるユーザ９９の音声を検出する。識別部１１０は、センサ１０１により検出された音声情報から特徴量を抽出する。
【０１１２】
要するに、識別部１１０は、冷蔵庫１００の前のユーザ９９を識別できるような構成を有していれば、具体的な構成はどのようなものであってもよい。
【０１１３】
［効果］
以上のように、本実施の形態に係る情報提供システム１０によれば、ユーザに対応するスケジュール情報を参照して抽出されたイベントに対応する物品に基づいて、冷蔵庫に格納されている１以上の物品に関する情報をユーザに提供することができる。したがって、ユーザの行動予定に適した物品に関する情報をユーザに提供することができる。
【０１１４】
また、本実施の形態に係る情報提供システム１０によれば、イベントに悪影響を与える物品に基づいて、冷蔵庫に格納されている１以上の物品に関する情報をユーザに提供することができる。したがって、イベントに悪影響を与える物品をユーザが冷蔵庫から取り出すことを抑制することができる。
【０１１５】
また、本実施の形態に係る情報提供システム１０によれば、ユーザが人と会うためのイベントがスケジュールされている場合に、食後に臭いが残る物品を決定することができる。したがって、食後に臭いが残る物品に基づいて情報をユーザに提供することができる。その結果、ユーザが人と会うためのイベントの前に、食後に臭いが残る物品を摂取することを抑制することが可能となる。
【０１１６】
また、本実施の形態に係る情報提供システム１０によれば、食後に臭いが残る持続時間と、イベントの開始日時までの差分時間とを考慮して、イベントに対応する物品を決定することができる。したがって、イベントの開始日時まで臭いが残る物品をイベントに対応する物品として決定し、イベントの開始日時までに臭いが消える物品をイベントに対応する物品として決定しないことができる。その結果、イベントに悪影響を与える物品を適切に決定することができる。
【０１１７】
また、本実施の形態に係る情報提供システム１０によれば、イベントに悪影響を与える物品と異なる物品に関する情報をユーザに提供することができる。したがって、ユーザが提供された情報に基づいて冷蔵庫から物品を取り出す際に、イベントに悪影響を与える物品を取り出すことを抑制することができる。
【０１１８】
また、本実施の形態に係る情報提供システム１０によれば、ユーザが他人の食事を用意する人である場合に、当該ユーザのスケジュール情報に加えて他人のスケジュール情報も参照してイベントを抽出することができる。したがって、ユーザが用意した食事を摂取した他人がイベントに悪影響を与える物品を摂取することを抑制することができる。
【０１１９】
また、本実施の形態に係る情報提供システム１０によれば、現在日時から予め定められた期間内にスケジュールされているイベントを抽出することができる。したがって、物品の摂取による影響が大きいイベントを抽出することができ、ユーザの行動予定に適した物品に関する情報をより適切にユーザに提供することができる。
【０１２０】
（実施の形態２）
次に、実施の形態２について、図１２Ａから図１６を参照しながら具体的に説明する。本実施の形態では、冷蔵庫内の物品に関する情報の提供を含むサービスを提供するサービス提供システムについて説明する。
【０１２１】
［提供するサービスの全体像］
図１２Ａには、実施の形態２におけるサービス提供システムの全体像が示されている。
【０１２２】
グループ１０００は、例えば企業、団体、家庭等であり、その規模を問わない。グループ１０００には、複数の機器１０１０に含まれる機器Ａ、機器Ｂおよびホームゲートウェイ１０２０が存在する。例えば、機器Ａは、上記各実施の形態における冷蔵庫である。複数の機器１０１０には、インターネットと接続可能な機器（例えば、スマートフォン、ＰＣ、ＴＶ等）もあれば、それ自身ではインターネットと接続不可能な機器（例えば、照明、洗濯機等）も存在する。それ自身ではインターネットと接続不可能な機器であっても、ホームゲートウェイ１０２０を介してインターネットと接続可能となる機器が存在してもよい。またグループ１０００には複数の機器１０１０を使用するユーザ９９０Ａが存在する。
【０１２３】
データセンタ運営会社１１００には、クラウドサーバ１１１０が存在する。クラウドサーバ１１１０とはインターネットを介して様々な機器と連携する仮想化サーバである。例えば、クラウドサーバ１１１０は、上記各実施の形態におけるサーバである。クラウドサーバ１１１０は、主に通常のデータベース管理ツール等で扱うことが困難な巨大なデータ（ビッグデータ）等を管理する。データセンタ運営会社１１００は、データ管理やクラウドサーバ１１１０の管理、それらを行うデータセンタの運営等を行っている。データセンタ運営会社１１００が行っている役務については詳細を後述する。ここで、データセンタ運営会社１１００は、データ管理やクラウドサーバ１１１０の運営等のみを行っている会社に限らない。例えば複数の機器１０１０のうちの１つの機器を開発・製造している機器メーカが、併せてデータ管理やクラウドサーバ１１１０の管理等を行っている場合は、機器メーカがデータセンタ運営会社１１００に該当する（図１２Ｂ）。また、データセンタ運営会社１１００は１つの会社に限らない。例えば機器メーカおよび他の管理会社が共同もしくは分担してデータ管理やクラウドサーバ１１１０の運営を行っている場合は、両者もしくはいずれか一方がデータセンタ運営会社１１００に該当するものとする（図１２Ｃ）。
【０１２４】
サービスプロバイダ１２００は、サーバ１２１０を保有している。ここで言うサーバ１２１０とは、その規模は問わず例えば、個人用ＰＣ内のメモリ等も含む。また、サービスプロバイダがサーバ１２１０を保有していない場合もある。
【０１２５】
なお、上記サービスにおいてホームゲートウェイ１０２０は必須ではない。例えば、クラウドサーバ１１１０が全てのデータ管理を行っている場合等は、ホームゲートウェイ１０２０は不要となる。また、家庭内のあらゆる機器がインターネットに接続されている場合のように、それ自身ではインターネットと接続不可能な機器は存在しない場合もある。
【０１２６】
次に、上記サービスにおける情報の流れを説明する。
【０１２７】
まず、グループ１０００の機器Ａまたは機器Ｂは、各ログ情報をデータセンタ運営会社１１００のクラウドサーバ１１１０に送信する。クラウドサーバ１１１０は機器Ａまたは機器Ｂのログ情報を集積する（図１２Ａの（ａ））。ここで、ログ情報とは複数の機器１０１０の、例えば運転状況や動作日時、動作モード、位置等を示す情報である。例えば、テレビの視聴履歴やレコーダの録画予約情報、洗濯機の運転日時・洗濯物の量、冷蔵庫の開閉日時・開閉回数などであるが、これらのものに限らずあらゆる機器から取得が可能なすべての情報をいう。ログ情報は、インターネットを介して複数の機器１０１０自体から直接クラウドサーバ１１１０に提供される場合もある。また複数の機器１０１０から一旦ホームゲートウェイ１０２０にログ情報が集積され、ホームゲートウェイ１０２０からクラウドサーバ１１１０に提供されてもよい。
【０１２８】
次に、データセンタ運営会社１１００のクラウドサーバ１１１０は、集積したログ情報を一定の単位でサービスプロバイダ１２００に提供する。ここで、データセンタ運営会社が集積した情報を整理してサービスプロバイダ１２００に提供することのできる単位でもいいし、サービスプロバイダ１２００が要求した単位でもいい。一定の単位と記載したが一定でなくてもよく、状況に応じて提供する情報量が変化する場合もある。前記ログ情報は、必要に応じてサービスプロバイダ１２００が保有するサーバ１２１０に保存される（図１２Ａの（ｂ））。そして、サービスプロバイダ１２００は、ログ情報をユーザに提供するサービスに適合する情報に整理し、ユーザに提供する。提供するユーザは、複数の機器１０１０を使用するユーザ９９０Ａでもよいし、外部のユーザ９９０Ｂでもよい。ユーザへのサービス提供方法は、例えば、サービスプロバイダから直接ユーザへ提供されてもよい（図１２Ａの（ｅ）、（ｆ））。また、ユーザへのサービス提供方法は、例えば、データセンタ運営会社１１００のクラウドサーバ１１１０を再度経由して、ユーザに提供されてもよい（図１２Ａの（ｃ）、（ｄ））。また、データセンタ運営会社１１００のクラウドサーバ１１１０がログ情報をユーザに提供するサービスに適合する情報に整理し、サービスプロバイダ１２００に提供してもよい。
【０１２９】
なお、ユーザ９９０Ａとユーザ９９０Ｂとは、別でも同一でもよい。
【０１３０】
上記態様において説明された技術は、例えば、以下のクラウドサービスの類型において実現されうる。しかし、上記態様において説明された技術が実現される類型はこれに限られるものでない。
【０１３１】
［サービスの類型１：自社データセンタ型］
図１３は、サービスの類型１（自社データセンタ型）を示す。本類型は、サービスプロバイダ１２００がグループ１０００から情報を取得し、ユーザに対してサービスを提供する類型である。本類型では、サービスプロバイダ１２００が、データセンタ運営会社の機能を有している。即ち、サービスプロバイダが、ビッグデータの管理をするクラウドサーバ１１１０を保有している。従って、データセンタ運営会社は存在しない。
【０１３２】
本類型では、サービスプロバイダ１２００は、データセンタ９０３（クラウドサーバ１１１０）を運営、管理している。また、サービスプロバイダ１２００は、ＯＳ９０２およびアプリケーション９０１を管理する。サービスプロバイダ１２００は、サービスプロバイダ１２００が管理するＯＳ９０２およびアプリケーション９０１を用いてサービス９０４の提供を行う。
【０１３３】
［サービスの類型２：ＩａａＳ利用型］
図１４は、サービスの類型２（ＩａａＳ利用型）を示す。ここでＩａａＳとはインフラストラクチャー・アズ・ア・サービスの略であり、コンピュータシステムを構築および稼動させるための基盤そのものを、インターネット経由のサービスとして提供するクラウドサービス提供モデルである。
【０１３４】
本類型では、データセンタ運営会社１１００がデータセンタ９０３（クラウドサーバ１１１０）を運営、管理している。また、サービスプロバイダ１２００は、ＯＳ９０２およびアプリケーション９０１を管理する。サービスプロバイダ１２００は、サービスプロバイダ１２００が管理するＯＳ９０２およびアプリケーション９０１を用いてサービス９０４の提供を行う。
【０１３５】
［サービスの類型３：ＰａａＳ利用型］
図１５は、サービスの類型３（ＰａａＳ利用型）を示す。ここでＰａａＳとはプラットフォーム・アズ・ア・サービスの略であり、ソフトウェアを構築および稼動させるための土台となるプラットフォームを、インターネット経由のサービスとして提供するクラウドサービス提供モデルである。
【０１３６】
本類型では、データセンタ運営会社１１００は、ＯＳ９０２を管理し、データセンタ９０３（クラウドサーバ１１１０）を運営、管理している。また、サービスプロバイダ１２００は、アプリケーション９０１を管理する。サービスプロバイダ１２００は、データセンタ運営会社が管理するＯＳ９０２およびサービスプロバイダ１２００が管理するアプリケーション９０１を用いてサービス９０４の提供を行う。
【０１３７】
［サービスの類型４：ＳａａＳ利用型］
図１６は、サービスの類型４（ＳａａＳ利用型）を示す。ここでＳａａＳとはソフトウェア・アズ・ア・サービスの略である。例えばデータセンタ（クラウドサーバ）を保有しているプラットフォーム提供者が提供するアプリケーションを、データセンタ（クラウドサーバ）を保有していない会社・個人（利用者）がインターネットなどのネットワーク経由で使用できる機能を有するクラウドサービス提供モデルである。
【０１３８】
本類型では、データセンタ運営会社１１００は、アプリケーション９０１を管理し、ＯＳ９０２を管理し、データセンタ９０３（クラウドサーバ１１１０）を運営、管理している。また、サービスプロバイダ１２００は、データセンタ運営会社１１００が管理するＯＳ９０２およびアプリケーション９０１を用いてサービス９０４の提供を行う。
【０１３９】
以上いずれの類型においても、サービスプロバイダ１２００がサービス提供行為を行ったものとする。また例えば、サービスプロバイダもしくはデータセンタ運営会社は、ＯＳ、アプリケーションもしくはビッグデータのデータベース等を自ら開発してもよいし、また、第三者に外注させてもよい。
【０１４０】
（他の実施の形態）
以上、本開示の１つまたは複数の態様に係る情報提供システムについて、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の１つまたは複数の態様の範囲内に含まれてもよい。
【０１４１】
なお、上記各実施の形態では、ユーザの識別に画像が用いられていたが、これに限定されない。例えば、ユーザの識別に熱画像を用いてもよく、熱画像に対する顔検出処理、顔抽出処理、顔識別処理などを行ってユーザを識別するとしてもよい。また例えば、ユーザの識別には、ユーザの指紋もしくは音声、ユーザによって入力された情報、または、ユーザが携帯する機器の情報が用いられてもよい。この場合、センサは、カメラに限定される必要はなく、指紋センサ、マイクロフォン、ＩＣタグリーダ、無線通信モジュール、または、入力装置であってもよい。さらに、例えば、冷蔵庫などに利用者専用ボタン（電子ボタンなど）を備えておき、電子ボタン入力に応じてユーザを識別するとしてもよい。
【０１４２】
なお、上記各実施の形態では、決定された物品に関する情報のユーザへの提供が禁止される例を中心に説明していたが、決定された物品がイベントに悪影響を与える物品であることがユーザに認識可能な態様で情報が提供されてもよい。
【０１４３】
なお、上記各実施の形態では、イベントに悪影響を与える物品がイベントに対応する物品として決定されていたが、イベントに良い影響を与える物品が決定されてもよい。この場合、決定された物品に関する情報が優先的にユーザに提供されてもよい。例えば、イベントに良い影響を与える物品が決定された場合、当該物品に関する情報が優先的にユーザに提供されてもよい。情報を優先的に提供とは、当該情報のみが提供されること、および、当該情報が他の情報よりも上位にリストされて提供されることなどを含む。
【０１４４】
なお、上記各実施の形態では、人と会うためのイベントに対応する物品として食後に臭いが残る物品が決定される例が説明されていたが、イベントおよび物品の組み合わせは、これに限定されない。
【０１４５】
例えば、イベントは、緊張を伴うイベント（例えば、学力試験、採用試験、ピアノの発表会など）であってもよい。この場合、イベントに対応する物品として、緊張を緩和する効果を有する物品（例えば、セロトニンあるいはリプトファンを含む食品）が決定されてもよい。これにより、情報提供システムは、緊張を緩和する効果を有する物品に関する情報をユーザに優先的に提供することができるので、イベントにおいて緊張を緩和することが期待できる。
【０１４６】
また例えば、イベントは、食事を伴うイベント（例えば、レストランでのディナー、披露宴への出席など）であってもよい。この場合、イベントに対応する物品として、腹持ちがよい食品が決定されてもよい。これにより、腹持ちがよい食品に関する情報の提供を禁止できるので、イベントの前に満腹になることを抑制することができる。
【０１４７】
また例えば、イベントは、翌日の早朝にスケジュールされたイベントであってもよい。この場合、イベントに対応する物品として、アルコール飲料およびつまみに相当する食品が決定されてもよい。これにより、アルコール飲料およびつまみに相当する食品に関する情報の提供を禁止できるので、寝過ごして早朝のイベントに遅れることを抑制することができる。
【０１４８】
なお、上記各実施の形態における各構成要素の配置は一例であり、どの構成要素がどの装置に含まれるかは実施の形態に限定されない。例えば、冷蔵庫は、サーバの構成要素を含んでもよい。つまり、冷蔵庫が、イベント抽出部、物品決定部および情報生成部を備えてもよい。この場合、情報提供システムにサーバは含まれなくてもよい。また、表示部は、冷蔵庫とは異なる機器（例えば、スマートフォン、タブレットコンピュータなど）に含まれてもよい。この場合、冷蔵庫は、表示部およびディスプレイを備えなくてもよい。また、サーバの記憶部は、スケジュール情報を記憶してもよい。この場合、サーバは、通信部を介してスケジュール情報を受信しなくてもよい。
【０１４９】
なお、上記各実施の形態において図示された在庫情報、ユーザ情報、物品情報およびスケジュール情報は一例であり、これに限定されない。例えば、在庫情報は、さらに、物品が格納されている室（例えば、冷蔵室、冷凍室および野菜室など）を示す情報を含んでもよい。
【０１５０】
なお、上記各実施の形態において、ユーザ情報を用いて、ユーザが他人の食事を用意する人か否かが判定されていたが、ユーザ情報は用いられなくてもよい。例えば、ユーザの冷蔵庫の開閉頻度に基づいて、ユーザが他人の食事を用意する人か否かが判定されてもよい。この場合、冷蔵庫あるいはサーバは、各ユーザによる冷蔵庫の開閉履歴を保持すればよい。
【０１５１】
なお、上記各実施の形態では、情報をユーザに提供するために表示用情報が表示されていたが、情報の提供はこれに限定されない。例えば、情報は、音声によってユーザに提供されてもよい。この場合、情報提供システムは、表示部の代わりに音声出力部を備えればよい。音声出力部とは、例えば、スピーカである。
【０１５２】
例えば、冷蔵庫１００が音声出力部（図示せず）を備える場合、サーバ２００の情報生成部２４０は、決定された物品に基づいて、１以上の物品に関する音声情報を生成するのでもよい。
【０１５３】
例えば、サーバ２００の通信部２５０は、サーバ２００の情報生成部２４０により生成された音声情報を冷蔵庫１００の音声出力部に出力させる信号を、冷蔵庫１００にネットワークを介して送信する。生成された音声情報を冷蔵庫１００の音声出力部に出力させる信号には、例えば、生成された音声情報と音声情報を音声出力部に出力させるための制御情報が含まれる。
【０１５４】
冷蔵庫１００の通信部１３０は、サーバ２００から音声出力部に出力させる信号を受信する。
【０１５５】
冷蔵庫１００の音声出力部は、サーバ２００から受信した信号に含まれる制御情報に従って音声情報を出力する。これにより、冷蔵庫１００に格納された１以上の物品に関する情報が音声出力部から音声として出力されることでユーザ９９に提供される。
【０１５６】
また、例えば、ユーザが利用する機器がネットワークを介してサーバ２００と接続する場合、通信部２５０は、サーバ２００の情報生成部２４０で生成された表示用情報または音声情報をユーザが利用する機器（図示せず）に出力させる信号をユーザが利用する機器へ送信するのでもよい。
【０１５７】
ユーザが利用する機器とは、ユーザが利用する携帯電話またはユーザが身につける時計などの携帯端末（図示せず）であってもよい。なお、ユーザが利用する機器とは、冷蔵庫１００を含む。
【０１５８】
例えば、携帯端末がディスプレイ（図示せず）を備える場合、通信部２５０は、サーバ２００の情報生成部２４０で生成された表示用情報を携帯端末のディスプレイに表示させる信号を携帯端末へネットワークを介して送信してもよい。
【０１５９】
生成された表示用情報を携帯端末のディスプレイ（図示せず）に出力させる信号には、例えば、生成された表示用情報と表示用情報をディスプレイに出力させるための制御情報が含まれる。
【０１６０】
携帯端末の通信部は、サーバ２００からディスプレイに出力させる信号を受信する。
【０１６１】
携帯端末のディスプレイは、サーバ２００から受信した信号に含まれる制御情報に従って表示用情報をディスプレイに表示する。これにより、冷蔵庫１００に格納された１以上の物品に関する情報が携帯端末のディスプレイに表示されることでユーザ９９に提供される。
【０１６２】
または、例えば、携帯端末が音声出力部（図示せず）を備える場合、サーバ２００の情報生成部２４０で生成された音声情報を携帯端末の音声出力部に出力させる信号を携帯端末へネットワークを介して送信してもよい。
【０１６３】
生成された音声情報を携帯端末の音声出力部に出力させる信号には、例えば、生成された音声情報と音声情報を音声出力部に出力させるための制御情報が含まれる。
【０１６４】
携帯端末の通信部は、サーバ２００から音声出力部に出力させる信号を受信する。
【０１６５】
携帯端末の音声出力部は、サーバ２００から受信した信号に含まれる制御情報に従って音声情報を出力する。これにより、冷蔵庫１００に格納された１以上の物品に関する情報が携帯端末の音声出力部から音声として出力されることでユーザ９９に提供される。
【０１６６】
なお、上記各実施の形態では、冷蔵庫に格納された１以上の物品に関する情報の提供で処理が終了していたが、さらに、抽出されたイベントに有用な情報を提供してもよい。例えば、情報提供システムは、決定された食後に臭いが残る物品が冷蔵庫から取り出されたときに、臭いを抑えるための情報を提供してもよい。
【０１６７】
なお、上記各実施の形態において、イベントの抽出では、ユーザと会う人がどのような人であるかが考慮されていなかったが、ユーザと会う人に応じてイベントが抽出されてもよい。例えば、注意を払う必要がある人と会うためのイベントのみが抽出され、注意を払う必要がない人と会うためのイベントが抽出されなくてもよい。この場合、注意を払う必要があるか否かを判定するための情報は、例えば、サーバの記憶部に記憶されればよい。このとき、例えば、ユーザのスケジュール情報に含まれる人物名が、図示しないデータベースにおいて記憶されている人物名を含む場合に、食後に臭いが残る物品に関する情報の提供が禁止されてもよい。一方、ユーザのスケジュール情報に含まれる人物名に付けられた敬称に応じて、食後に臭いが残る物品に関する情報の提供が禁止されてもよい。敬称としては、例えば、「様」「さん」「先生」「教授」「博士」「大臣」「理事」「専務」「常務」「社長」などである。これにより、注意を払う必要がある人と会うためのイベントに対してのみ、食後に臭いが残る物品に関する情報の提供が禁止され、より適切に情報を提供することが可能となる。
【０１６８】
なお、上記各実施の形態において、イベントの抽出では、イベントの場所がどのような場所であるかが考慮されていなかったが、場所に応じてイベントが抽出されてもよい。例えば、狭い場所（例えば会議室など）で人と会うためのイベントのみが抽出され、広い場所（例えば野球場など）で人と会うためのイベントが抽出されなくてもよい。この場合、場所の広さを表す情報は、例えば、サーバの記憶部に記憶されればよい。これにより、狭い場所で人と会うためのイベントに対してのみ、食後に臭いが残る物品に関する情報の提供が禁止され、より適切に情報を提供することが可能となる。
【０１６９】
なお、上記各実施の形態では、ユーザのスケジュール情報を参照して当該ユーザのイベントが抽出されていたが、他人のスケジュール情報を参照してユーザのイベントが抽出されてもよい。例えば、ユーザとスケジュールを共有している他人のスケジュール情報を参照して、当該他人がユーザと会うためのイベントが抽出されてもよい。これにより、ユーザのスケジュール情報にイベントの登録漏れがある場合であっても、ユーザが関係するイベントを適切に抽出することができる。
【０１７０】
また、ユーザのスケジュール情報に含まれるイベント名が、図示しないデータベースにおいて記憶されているイベント名に一致する場合に、食後に臭いが残る物品に関する情報の提供が禁止されてもよい。図示しないデータベースに記憶されているイベント名としては、例えば、デート、面接、説明会、商談会、会議、会合、式典などの重要な相手と会う予定、サッカー、野球、社交ダンス、コーラスなどの対人距離が近いことが想定される予定、発声を行なう予定などが含まれるとしてもよい。
【０１７１】
また、ユーザのスケジュール情報に含まれる場所の名称が、図示しないデータベースにおいて記憶されている場所の名称を含む場合に、食後に臭いが残る物品に関する情報の提供が禁止されてもよい。場所の名称としては、ユーザが事前に設定した名称であってもよいし、例えば、一般的に格式の高い場所とされている名称などが含まれていてもよい。
【０１７２】
なお、本開示の一態様は、このような情報提供システムだけではなく、情報提供システムに含まれる特徴的な構成部をステップとする情報提供方法であってもよい。また、本開示の一態様は、情報提供方法に含まれる特徴的な各ステップをコンピュータに実行させるコンピュータプログラムであってもよい。また、本開示の一態様は、そのようなコンピュータプログラムが記録された、コンピュータ読み取り可能な非一時的な記録媒体であってもよい。
【０１７３】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の情報提供システムなどを実現するソフトウェアは、次のようなプログラムである。
【０１７４】
すなわち、このプログラムは、コンピュータに、冷蔵庫に格納されている１以上の物品に関する情報をユーザに提供する情報提供方法であって、前記ユーザを識別する識別ステップと、前記ユーザの識別結果に基づいて前記ユーザに対応するスケジュール情報を参照して、スケジュールされた未来のイベントを抽出する抽出ステップと、前記イベントに対応する物品を決定する決定ステップと、決定された前記物品に基づいて、前記冷蔵庫に格納されている１以上の物品に関する情報を生成する生成ステップと、生成された前記情報を前記ユーザに提供する提供ステップと、を含む情報提供方法を実行させる。
【産業上の利用可能性】
【０１７５】
本開示にかかる情報提供方法は、冷蔵庫に格納された物品の在庫情報をユーザに提供する在庫管理システムなどにおいて有用である。
【符号の説明】
【０１７６】
１０  情報提供システム
１００  冷蔵庫
１０１  センサ
１０２  ディスプレイ
１１０  識別部
１２０  表示部
１３０  通信部
２００、１２１０  サーバ
２１０  記憶部
２１１  在庫情報
２１２  ユーザ情報
２１３  物品情報
２２０  イベント抽出部
２３０  物品決定部
２４０  情報生成部
２５０  通信部
３００  スケジュール情報
【図１】
0006584292.tif 000002
【図２】
0006584292.tif 000003
【図３】
0006584292.tif 000004
【図４】
0006584292.tif 000005
【図５】
0006584292.tif 000006
【図６】
0006584292.tif 000007
【図７】
0006584292.tif 000008
【図８】
0006584292.tif 000009
【図９】
0006584292.tif 000010
【図１０】
0006584292.tif 000011
【図１１】
0006584292.tif 000012
【図１２Ａ】
0006584292.tif 000013
【図１２Ｂ】
0006584292.tif 000014
【図１２Ｃ】
0006584292.tif 000015
【図１３】
0006584292.tif 000016
【図１４】
0006584292.tif 000017
【図１５】
0006584292.tif 000018
【図１６】
0006584292.tif 000019